(57)【要約】【課題】遊戯ホールにおいて、端玉景品がお客様の目に触れる確率を高め、より多くの端玉景品がお客様による景品交換に採用されるようになることを可能にする景品交換台の配置構造を提案する。【解決手段】景品交換台の前面側に、当該景品交換台の水平面からなる上部カウンターと略同一の高さレベルに端玉景品を支持・陳列する商品陳列台が、当該景品交換台の前面に直交して、当該景品交換台の前面から前方方向に向かって延びるように配置されている景品交換台の配置構造。【選択図】図５
2014128361.tif 000002
【特許請求の範囲】
【請求項１】
景品交換台の前面側に、当該景品交換台の水平面からなる上部カウンターと略同一の高さレベルに端玉景品を支持・陳列する景品陳列台が、当該景品交換台の前面に直交して、当該景品交換台の前面から前方方向に向かって延びるように配置されていることを特徴とする景品交換台の配置構造。
【請求項２】
前記景品陳列台は、前記景品交換台の水平面からなる上部カウンターと平行な景品陳列台上部水平面を備えており、当該景品陳列台上部水平面の上に、前記端玉景品が、前記景品交換台の上部カウンターと略同一の高さレベルに支持・陳列されることを特徴とする請求項１記載の景品交換台の配置構造。
【請求項３】
前記景品陳列台上部水平面は、前記景品陳列台の上部を構成する平板面、あるいは、籠状またはバスケット状景品陳列什器の底面部からなることを特徴とする請求項２記載の景品交換台の配置構造。
【請求項４】
前記景品陳列台上部水平面は、前記景品陳列台の上部を構成する平板面からなり、当該平板面は、前記景品交換台の前面から前方方向に延びるにしたがって階段状に垂直方向高さ位置が低くなる複数の平板面を備えていることを特徴とする請求項２記載の景品交換台の配置構造。
【発明の詳細な説明】
【技術分野】
【０００１】
この発明は、景品交換台の配置構造に関する。特に、パチンコ店などの遊戯ホールにおいて、パチンコ機で獲得したパチンコ玉や、スロットマシンで獲得したコインなどを、来店者が景品に交換する景品交換台の配置構造に関する。
【背景技術】
【０００２】
パチンコ店などの遊戯ホールにおいて、パチンコ機で獲得したパチンコ玉や、スロットマシンで獲得したコインなどを、来店者が現金化可能な特殊景品などに交換する場合には、端数が出るのが一般的である。この端数（余り玉や、余りコイン）は、その端数分の余り玉の数や、余りコインの枚数に応じて、端玉景品と呼ばれる景品と交換可能になっている。
【０００３】
端玉景品には、スナック菓子、チョコレート菓子などの菓子類や、日用品雑貨などが一般的に供されている。
【０００４】
図１、図２は、パチンコ店などの遊戯ホールに従来から採用されている景品交換台の配置構造の一例を表すもので、図１が正面図、図２が前方上側から見た斜視図である。図１、図２図示の例では、水平面からなる上部カウンター２が支持部３の上に配置されて景品交換台１が構成されている。上部カウンター２の上には遊戯ホールのスタッフが操作するレジスター４ａ、４ｂが左右方向に所定の間隔を空けて配置されている。
【０００５】
遊戯を終えた来店者が景品交換を行う場合、レジスター４ａ、４ｂの設置位置に対応する位置で、景品交換台１の前に並び、景品交換を行うことになる。
【０００６】
遊戯ホールの側では、景品交換を希望する来店者の目につきやすい場所、手に取りやすい場所などをホール内で選んで端玉景品を陳列、展示しておき、来店者は、陳列、展示されている場所で交換を希望する端玉景品をピックアップし、上述のように、景品交換のため、景品交換台１の前に並ぶことになる。
【０００７】
ここで、従来から、現金化可能な特殊景品との交換などの際に使用される景品交換台において、処理効率・信頼性の向上、不正防止などを目的とした提案は行われていた（例えば、特許文献１）。
【０００８】
しかし、端玉景品がお客様の目に触れる確率を高め、より多くの端玉景品がお客様による景品交換に採用されるようになることを目的とした、景品交換台の位置、構造、配置などに関しては改善、工夫の余地があった。
【先行技術文献】
【特許文献】
【０００９】
【特許文献１】特開２００２−３２０７６２号公報
【発明の概要】
【発明が解決しようとする課題】
【００１０】
この発明は、遊戯ホールにおいて、パチンコ機で獲得したパチンコ玉や、スロットマシンで獲得したコインなどを現金化可能な特殊景品などに交換するときに出る端数（余り玉や、余りコイン）を、その端数分の余り玉の数や、余りコインの枚数に応じて端玉景品に交換する景品交換台の位置、構造、配置などに改善、工夫を凝らして、端玉景品がお客様の目に触れる確率を高め、より多くの端玉景品がお客様による景品交換に採用されるようになることを目的にしている。
【課題を解決するための手段】
【００１１】
前記目的を達成するため、この発明は、景品交換台の前面側に、当該景品交換台の水平面からなる上部カウンターと略同一の高さレベルに端玉景品を支持・陳列する景品陳列台が、当該景品交換台の前面に直交して、当該景品交換台の前面から前方方向に向かって延びるように配置されている景品交換台の配置構造を提案するものである。
【発明の効果】
【００１２】
この発明によれば、遊戯ホールにおいて、パチンコ機で獲得したパチンコ玉や、スロットマシンで獲得したコインなどを現金化可能な特殊景品などに交換するときに出る端数（余り玉や、余りコイン）を、その端数分の余り玉の数や、余りコインの枚数に応じて端玉景品に交換する景品交換台の位置、構造、配置などを改善し、端玉景品がお客様の目に触れる確率を高め、より多くの端玉景品がお客様による景品交換に採用されることを可能ならしめる景品交換台の配置構造を提供することができる。
【図面の簡単な説明】
【００１３】
【図１】パチンコ店などの遊戯ホールに従来から採用されている景品交換台の配置構造の一例を表す正面図。
【図２】パチンコ店などの遊戯ホールに従来から採用されている景品交換台の配置構造の一例を表す、前方上側から見た斜視図。
【図３】本発明が提案する景品交換台の配置構造の一例を表す正面図。
【図４】本発明が提案する景品交換台の配置構造の一例を表す前方上側から見た斜視図。
【図５】本発明が提案する景品交換台の配置構造の一例を表す側面図。
【図６】本発明が提案する景品交換台の配置構造の他の例を表す側面図。
【発明を実施するための形態】
【００１４】
以下、添付図面を参照して本発明の実施形態について説明する。
【００１５】
図３〜図５は、本発明が提案する景品交換台の配置構造の一例を表すもので、図３は正面図、図４は前方上側から見た斜視図、図５は側面図である。
【００１６】
図１、図２を用いて説明した従来の景品交換台の配置構造と共通する部分には共通の符号を用いている。
【００１７】
本発明が提案する景品交換台の配置構造は、従来の配置構造に採用されていたように、水平面からなる上部カウンター２が支持部３の上に配置されて構成されている景品交換台１と、景品交換台１の前面側（図５における右側）に配置される景品陳列台５とからで構成されている。
【００１８】
景品陳列台５は、図３〜図５図示のように、景品交換台１の前面に直交して、景品交換台１の前面から前方方向に向かって延びるように配置されている。図示の実施形態では、景品交換台１の支持部３の前面３ａに、景品陳列台５の背面５ａを当接させている。
【００１９】
図３〜図５図示の例では、上部カウンター２の上に遊戯ホールのスタッフが操作するレジスター４ａ、４ｂが左右方向に所定の間隔を空けて配置されている。遊戯を終えて景品交換を行う来店者は、レジスター４ａ、４ｂの位置に対応して、景品交換台１の前に並んで列を作ることを考慮し、景品陳列台５は、この列の間に位置するように、レジスター４ａ、４ｂの配置位置の間に配置している。
【００２０】
本発明の景品交換台の配置構造によれば、図５図示のように、景品陳列台５によって端玉景品９を、景品交換台１の水平面からなる上部カウンター２と略同一の高さレベルに支持・陳列できるようになっている。
【００２１】
これによって、遊戯を終えて景品交換を行う来店者が、レジスター４ａ、４ｂの位置に対応して、景品交換台１の前に並んで列を作って並んでいる際、景品交換台１の水平面からなる上部カウンター２と略同一の高さレベルに端玉景品９が支持・陳列されていることから、端玉景品９が景品交換を行う前の来店者の目に触れる確率が高まり、より多くの端玉景品９が来店者による景品交換に採用される可能性が高まる。
【００２２】
上述したように、景品陳列台５によって端玉景品９を、景品交換台１の水平面からなる上部カウンター２と略同一の高さレベルに支持・陳列する（例えば、図５図示）ことは、この発明では、景品陳列台５が、景品交換台１の水平面からなる上部カウンター２と平行な景品陳列台上部水平面を備えていることにより実現している。
【００２３】
本発明が提案する景品交換台の配置構造においては、景品陳列台５が備えている、景品交換台１の上部カウンター２と平行な景品陳列台上部水平面が、水平面からなる上部カウンター２と同一レベルの高さ位置、あるいは、上部カウンター２の高さ位置レベルよりも垂直（鉛直）方向に少し低い高さ位置（例えば、上部カウンター２の高さ位置レベルよりも垂直（鉛直）方向に２０ｃｍを越えない範囲で低い高さ位置、好ましくは、上部カウンター２の高さ位置レベルよりも垂直（鉛直）方向に１０ｃｍを越えない範囲で低い高さ位置）になる形状・構造の景品陳列台５を、景品交換台１の前面に直交して、景品交換台１の前面から前方方向に向かって延びるように配置している。
【００２４】
これによって、前述した垂直（鉛直）方向の高さ位置の景品陳列台上部水平面の上に端玉景品９が支持・陳列された際、図５図示のように、景品交換台１の上部カウンター２と略同一の高さレベルに端玉景品９が支持・陳列されるようになる。
【００２５】
ここで、前述した景品陳列台上部水平面は、景品陳列台５の上部を構成する平板面、あるいは、籠状またはバスケット状景品陳列什器１２（図６）の底面部とすることができる。
【００２６】
図３〜図５図示の実施形態では、景品陳列台上部水平面は、景品陳列台５の上部を構成する平板面７からなり、この平板面７を、景品交換台１の前面から前方方向に延びるにしたがって階段状に垂直方向高さ位置が低くなる複数の平板面７ａ、７ｂを備えている構造にしている。図４図示の例では、景品陳列台５は、階段状の支持部６ａ、６ｂからなる支持部６によって構成され、階段状の支持部６ａ、６ｂがそれぞれ上部に水平面からなる平板面７ａ、７ｂを備えている。
【００２７】
図３〜図５図示の実施形態では、景品交換台１の前面から前方方向に延びるにしたがって階段状に垂直方向高さ位置が低くなる複数の平板面７ａ、７ｂのそれぞれの上に、景品陳列カゴあるいは景品陳列バスケット８ａ、８ｂを置き（図５）、それぞれの中に端玉景品９、１０を収容するようにできる。
【００２８】
平板面７ａは、上述したように、水平面からなる上部カウンター２と同一レベルの高さ位置（不図示）、あるいは、図３〜図５図示のように、上部カウンター２の高さ位置レベルよりも垂直（鉛直）方向に少し低い高さ位置（例えば、上部カウンター２の高さ位置レベルよりも垂直（鉛直）方向に２０ｃｍを越えない範囲で低い高さ位置、好ましくは、上部カウンター２の高さ位置レベルよりも垂直（鉛直）方向に１０ｃｍを越えない範囲で低い高さ位置）になっている。
【００２９】
こうして、景品交換台１の前面から前方方向に延びるにしたがって階段状に垂直方向高さ位置が低くなる複数の平板面７ａ、７ｂのそれぞれの上に、景品陳列カゴあるいは景品陳列バスケット８ａ、８ｂが搭載され、それぞれの中に端玉景品９、１０が収容されている（図５）。
【００３０】
そこで、上述したように、景品交換台１の上部カウンター２と略同一の高さレベルに支持・陳列されている端玉景品９だけでなく、それよりも垂直方向（鉛直方向）で少し低い高さレベルに支持・陳列されている端玉景品１０も、端玉景品９と同じく、遊戯を終えて景品交換を行うべく、レジスター４ａ、４ｂの位置に対応して、景品交換台１の前に並んで列を作っている来店者の目に触れる確率が高まり、来店者による景品交換に採用される可能性が高まる。
【００３１】
なお、図示していないが、図３〜図５図示のような階段状の構造にせず、図３〜図５図示の実施形態における平板面７ａが、同一の垂直方向高さレベルで、景品交換台１１の前面から前方方向に延びていることによる同一水平面レベルの平板面７からなる景品陳列台上部水平面を備えている景品陳列台５とすることも当然可能である。このようにしても、端玉景品９が、遊戯を終えて景品交換を行うべく、レジスター４ａ、４ｂの位置に対応して、景品交換台１の前に並んで列を作っている来店者の目に触れる確率を高め、来店者による景品交換に採用される可能性を高めることができる。
【００３２】
図６は、図５図示の景品陳列台５に替えて、籠状またはバスケット状景品陳列什器１２を、図３〜図５図示の実施形態における景品陳列台５の配置箇所に配置したものである。
【００３３】
すなわち、籠状またはバスケット状景品陳列什器１２を、景品交換台１の前面に直交して、景品交換台１の前面から前方方向に向かって延びるように配置したものである。
【００３４】
景品陳列台上部水平面を構成する、籠状またはバスケット状景品陳列什器１２の底面部は、複数段の景品陳列カゴあるいは景品陳列バスケット１３、１４、１５の中の、垂直方向（鉛直方向）において最も高い位置に配置されている景品陳列カゴあるいは景品陳列バスケット１３の底面によって構成されることになる。
【００３５】
景品陳列カゴあるいは景品陳列バスケット１３の底面は、上述したように、水平面からなる上部カウンター２と同一レベルの高さ位置（不図示）、あるいは、図６図示のように、上部カウンター２の高さ位置レベルよりも垂直（鉛直）方向に少し低い高さ位置（例えば、上部カウンター２の高さ位置レベルよりも垂直（鉛直）方向に２０ｃｍを越えない範囲で低い高さ位置、好ましくは、上部カウンター２の高さ位置レベルよりも垂直（鉛直）方向に１０ｃｍを越えない範囲で低い高さ位置）になっている。
【００３６】
これによって、景品陳列カゴあるいは景品陳列バスケット１３の底面によって支持され、陳列されている端玉景品１６は、景品交換台１の上部カウンター２と略同一の高さレベルに支持・陳列され、端玉景品１６が景品交換を行う前の来店者の目に触れる確率が高まり、より多くの端玉景品１６が来店者による景品交換に採用される可能性が高まる。
【００３７】
図６の実施形態では、景品陳列カゴあるいは景品陳列バスケット１３、１４、１５を垂直方向（鉛直方向）に三段にしているが、遊戯を終えて景品交換を行う来店者が、レジスター４ａ、４ｂの位置に対応して、景品交換台１の前に並んで列を作っている際、上述したように、景品交換台１の水平面からなる上部カウンター２と略同一の高さレベルに支持・陳列されている端玉景品１６だけでなく、その下側に支持・陳列されている端玉景品１７、１８が景品交換を行う前の来店者の目に触れる確率も高まり、多くの端玉景品１７、１８が来店者による景品交換に採用される可能性が高まる。
【００３８】
以上、添付図面を参照して本発明の好ましい実施形態、実施例を説明したが、本発明はかかる実施形態、実施例に限定されるものではなく、特許請求の範囲の記載から把握される技術的範囲において種々の形態に変更可能である。
【符号の説明】
【００３９】
１    景品交換台
２    水平面からなる景品交換台の上部カウンター
３    景品交換台の支持部
３ａ  景品交換台の支持部の前面
４ａ、４ｂ  レジスター
５    景品陳列台
５ａ  景品陳列台の背面
７    景品陳列台の上部を構成する平板面
７ａ、７ｂ  景品陳列台の上部を構成する階段状の複数の平板面
８ａ、８ｂ  景品陳列カゴあるいは景品陳列バスケット
９、１０、１６、１７、１８  端玉景品
１２  籠状またはバスケット状景品陳列什器
１３、１４、１５  景品陳列バスケット
【図１】
2014128361.tif 000003
【図２】
2014128361.tif 000004
【図３】
2014128361.tif 000005
【図４】
2014128361.tif 000006
【図５】
2014128361.tif 000007
【図６】
2014128361.tif 000008